(57)【要約】【課題】デジタル制御装置等の計装ループ試験を行なう場合に、その試験に必要な試験員の人数を減らす。【解決手段】プラントのプロセス値を計測する検出器９よりデジタル制御装置等８ａ、８ｂへ入力される回路またはデジタル制御装置等より現場機器に対して出力される回路の健全性ならびに精度を確認するループ試験に際し、デジタル制御装置等の内部ロジックの任意のデジタル信号値を読み出し、試験用ＬＡＮ４に伝送するためのインターフェイス機能を有する。また、デジタル制御装置等に備えられた保守用インターフェイスを使用することで、プラント制御応答速度を要求されるロジックに対し、影響を与えることなくデジタル制御装置等の内部ロジックの任意のデジタル信号値を読み出し、試験用ＬＡＮに伝送できる機能を有する。【選択図】　図１
2004133603.tif 000002
【特許請求の範囲】
【請求項１】
プラントの監視および制御をデジタル信号により行なうデジタル制御装置および計算機を用いる遠隔試験装置において、プラントのプロセス値を計測する検出器よりデジタル制御装置および計算機へ入力される回路またはデジタル制御装置および計算機より現場機器に対して出力される回路の健全性ならびに精度を確認するループ試験に際し、デジタル制御装置および計算機内部ロジックの任意のデジタル信号値を読み出し、試験用ＬＡＮに伝送するためのインターフェイス機能を有することを特徴とするプラント遠隔試験装置。
【請求項２】
プラントの監視および制御をデジタル信号により行なうデジタル制御装置および計算機を用いる遠隔試験装置において、プラントのプロセス値を計測する検出器よりデジタル制御装置および計算機へ入力される回路またはデジタル制御装置および計算機より現場機器に対して出力される回路の健全性ならびに精度を確認するループ試験に際し、デジタル制御装置および計算機に備えられた保守用インターフェイスを使用することで、プラント制御応答速度を要求されるロジックに対し、影響を与えることなくデジタル制御装置および計算機内部ロジックの任意のデジタル信号値を読み出し、試験用ＬＡＮに伝送できる機能を有することを特徴とするプラント遠隔試験装置。
【請求項３】
プラントの監視および制御をデジタル信号により行なうデジタル制御装置および計算機を用いる遠隔試験装置において、プラントのプロセス値を計測する検出器よりデジタル制御装置および計算機へ入力される回路またはデジタル制御装置および計算機より現場機器に対して出力される回路の健全性ならびに精度を確認するループ試験に際し、プラント制御監視用ＬＡＮより任意のデジタル信号値を読み出すことのできるインターフェイス機能を有することを特徴とするプラント遠隔試験装置。
【請求項４】
プラントの監視および制御を行なうマンマシンインターフェイス部に表示と入力が可能な表示入力装置を適用した遠隔試験装置において、それら表示入力装置またはそれらの制御装置より、プロセス指示または機器状態表示用の任意のデジタル信号値を読み出し、試験用ＬＡＮに伝送できるインターフェイス機能を有することを特徴とするプラント遠隔試験装置。
【請求項５】
プラントの監視および制御を行なうプラントのマンマシンインターフェイス部に表示と入力が可能な表示入力装置を適用した遠隔試験装置において、それら表示入力装置またはそれらの制御装置に対し、機器の操作指令を要求するためのデジタル信号値を試験用ＬＡＮを介して伝送できるインターフェイス機能を有することを特徴とするプラント遠隔試験装置。
【請求項６】
請求項１、２または３記載のプラント遠隔試験装置において、前記デジタル信号値を、試験用ＬＡＮから、プラント内任意の場所に設置した端末装置で受信、送信および表示ができる機能を有することを特徴とするプラント遠隔試験装置。
【請求項７】
請求項４または５記載のプラント遠隔試験装置において、前記デジタル信号値を、試験用ＬＡＮから、プラント内任意の場所に設置した端末装置で受信、送信および表示ができる機能を有することを特徴とするプラント遠隔試験装置。
【請求項８】
請求項６記載のプラント遠隔試験装置において、前記端末装置の入力装置より、任意のデジタル制御装置および計算機へアクセスする際に必要な内部ロジックのアドレス選択用の取り合いデータベースを端末装置に内蔵したことを特徴とするプラント遠隔試験装置。
【請求項９】
請求項６記載のプラント遠隔試験装置において、前記端末装置の入力装置より、１台の検出器から複数のデジタル制御装置および計算機へ入力またはデジタル制御装置および計算機から複数の現場機器に対して出力される回路において、複数のデジタル制御装置および計算機のアドレスまたは同一デジタル制御装置および計算機の複数のアドレスを同時に要求するための取り合いデータベースを端末装置に内蔵したことを特徴とするプラント遠隔試験装置。
【請求項１０】
請求項７記載のプラント遠隔試験装置において、端末装置の入力装置より、任意の表示と入力が可能な表示入力装置またはそれらの制御装置へアクセスする際に必要な内部アドレス選択用の取り合いデータベースを端末装置に内蔵したことを特徴とするプラント遠隔試験装置。
【請求項１１】
請求項７記載のプラント遠隔試験装置において、端末装置の入力装置より、１台の検出器より複数の表示と入力が可能な表示入力装置へ表示、または前記表示入力装置より複数の現場機器に対して制御信号が出力される回路において、複数の前記表示入力装置のアドレス、または、同一前記表示入力装置のアドレスを同時に要求するための取り合いデータベースを端末装置に内蔵したことを特徴とするプラント遠隔試験装置。
【請求項１２】
プラントの監視および制御をデジタル信号により行なうデジタル制御装置および計算機を用いる遠隔試験方法において、プラントのプロセス値を計測する検出器よりデジタル制御装置および計算機へ入力される回路またはデジタル制御装置および計算機より現場機器に対して出力される回路の健全性ならびに精度を確認するループ試験に際し、デジタル制御装置および計算機内部ロジックの任意のデジタル信号値を読み出し、試験用ＬＡＮに伝送するためのインターフェイス機能を用いることを特徴とする遠隔試験方法。
【請求項１３】
プラントの監視および制御をデジタル信号により行なうデジタル制御装置および計算機を用いる遠隔試験方法において、プラントのプロセス値を計測する検出器よりデジタル制御装置および計算機へ入力される回路またはデジタル制御装置および計算機より現場機器に対して出力される回路の健全性ならびに精度を確認するループ試験に際し、デジタル制御装置および計算機に備えられた保守用インターフェイスを使用することで、プラント制御応答速度を要求されるロジックに対し、影響を与えることなくデジタル制御装置および計算機内部ロジックの任意のデジタル信号値を読み出し、試験用ＬＡＮに伝送することを特徴とする遠隔試験方法。
【発明の詳細な説明】
【０００１】
【発明の属する技術分野】
本発明は、プラントの監視および制御をデジタル信号により行なうデジタル制御装置およびデジタル計算機（以下、単に「計算機」という。）において、プラントのプロセス値を計測する検出器よりデジタル制御装置および計算機へ入力、またはデジタル制御装置および計算機より現場機器に対して出力される回路の健全性ならびに精度を確認するループ試験で用いるプラント遠隔試験装置とその試験方法に関する。
【０００２】
また、同様に接点入力信号のデジタル制御装置および計算機への入力動作を確認するデジタル入力試験、およびデジタル制御装置および計算機からの接点出力動作を確認するデジタル出力試験で用いるプラント遠隔試験装置とその試験方法に関する。
【０００３】
【従来の技術】
デジタル信号でプラントの制御を行なうデジタル制御装置ならびに計算機では、流量、圧力等のアナログ信号を入力する必要がある。この際、流量、圧力等のアナログプロセス値は検出器で電圧／電流等のアナログ入力信号へ変換された後、デジタル制御装置のアナログ入力基板によってアナログ信号レベルに応じたデジタル信号に変換（Ａ／Ｄ変換）され、ロジック処理に用いられる。
また、ポンプの起動／停止、弁の開／閉、流量、圧力スイッチのオン／オフなどの信号も同様に入力され、ロジック処理に用いられる。
【０００４】
一方、デジタル制御装置ならびに計算機では、運転員に対してプラントの状態情報を提供するため、指示計、ディスプレイ（タッチパネルを含む）等マンマシンインターフェイスへアナログ信号を出力する必要がある。この際、制御用のデジタル値はデジタル制御装置のアナログ出力基板によってデジタル値に応じた電圧／電流等のアナログ出力信号に変換（Ｄ／Ａ変換）され、指示計、ディスプレイ（タッチパネルを含む）への指示に用いられる。
また、指示計、ディスプレイ（タッチパネルを含む）等のアナログ的な制御以外では、ポンプの起動／停止、弁の開／閉など指令を接点信号の形で出力する。
【０００５】
デジタル制御装置ならびに計算機を含むプラント制御装置は、その試験項目として、流量、圧力等の検出器からディジタル制御装置、ならびに計算機を経由して指示計、ディスプレイ（タッチパネルを含む）へ出力される計装回路のループ精度が判定値以内であることを確認する計装ループ試験、ポンプの起動／停止、弁の開／閉、流量、圧力スイッチのオン／オフ状態の接点信号の読み込み動作を確認するデジタル入力試験、およびポンプの起動／停止、弁の開／閉指令等の接点信号の出力動作を確認するデジタル出力試験がある。
【０００６】
デジタル制御装置ならびに計算機を含むプラント制御装置の試験においては、デジタル信号への変換精度およびロジック処理の健全性評価のため、デジタル制御装置ならびに計算機の内部ロジックにて当該デジタル信号をモニタする必要がある。デジタル信号のモニタにおいては、デジタル制御装置ならびに計算機の設置場所にそれそれ人員を配置し、機器とのインターフェイス機能を有した保守装置より当該デジタル信号を要求・表示している。
【０００７】
なお、プラントの中央制御装置と現場制御装置の遠隔試験装置とその試験方法に関する公知文献として、特許文献１がある。これは、原子炉の制御棒操作監視制御システムに関するものである。
【０００８】
【特許文献１】
特開平１１−２３７４９０号公報
【０００９】
【発明が解決しようとする課題】
デジタル制御装置ならびに計算機を含むプラント制御装置の計装ループ試験を行なう場合、プラント各所に分散して設置された検出器、デジタル制御装置、計算機、指示計（またはＣＲＴ（陰極線管）、タッチパネル等）の入出力値を確認するため、各機器の設置場所にそれぞれ試験員を配置する必要がある。
【００１０】
また、同様にポンプ、弁、計装スイッチ等現場機器との取り合い試験を行なう場合も、それぞれの機器の設置場所に試験員を配置する必要がある。従来の試験方法では、１回路の試験に少なくとも４〜５名の試験員を配置しなければならず、複数系統の試験が平行して行なわれる大規模プラントにおいては、試験員の増大といった課題がある。
【００１１】
本発明は、デジタル制御装置ならびに計算機を含むプラント制御装置の計装ループ試験を行なう場合に、その試験に必要な試験員の人数を減らし、効率よく作業できるような遠隔試験装置および遠隔試験方法を提供することを目的としている。
【００１２】
【課題を解決するための手段】
本発明は上記目的を達成するものであって、一つの態様では、プラントの監視および制御をデジタル信号により行なうデジタル制御装置および計算機を用いる遠隔試験装置において、プラントのプロセス値を計測する検出器よりデジタル制御装置および計算機へ入力される回路またはデジタル制御装置および計算機より現場機器に対して出力される回路の健全性ならびに精度を確認するループ試験に際し、デジタル制御装置および計算機内部ロジックの任意のデジタル信号値を読み出し、試験用ＬＡＮに伝送するためのインターフェイス機能を有することを特徴とする。
【００１３】
本発明のもう一つの態様では、プラントの監視および制御をデジタル信号により行なうデジタル制御装置および計算機を用いる遠隔試験装置において、プラントのプロセス値を計測する検出器よりデジタル制御装置および計算機へ入力される回路またはデジタル制御装置および計算機より現場機器に対して出力される回路の健全性ならびに精度を確認するループ試験に際し、デジタル制御装置および計算機に備えられた保守用インターフェイスを使用することで、プラント制御応答速度を要求されるロジックに対し、影響を与えることなくデジタル制御装置および計算機内部ロジックの任意のデジタル信号値を読み出し、試験用ＬＡＮに伝送できる機能を有することを特徴とする。
【００１４】
本発明のもう一つの態様では、プラントの監視および制御をデジタル信号により行なうデジタル制御装置および計算機を用いる遠隔試験装置において、プラントのプロセス値を計測する検出器よりデジタル制御装置および計算機へ入力される回路またはデジタル制御装置および計算機より現場機器に対して出力される回路の健全性ならびに精度を確認するループ試験に際し、プラント制御監視用ＬＡＮより任意のデジタル信号値を読み出すことのできるインターフェイス機能を有することを特徴とする。
【００１５】
本発明のもう一つの態様では、プラントの監視および制御を行なうマンマシンインターフェイス部に表示と入力が可能な表示入力装置を適用した遠隔試験装置において、それら表示入力装置またはそれらの制御装置より、プロセス指示または機器状態表示用の任意のデジタル信号値を読み出し、試験用ＬＡＮに伝送できるインターフェイス機能を有することを特徴とする。
【００１６】
本発明のもう一つの態様では、プラントの監視および制御を行なうプラントのマンマシンインターフェイス部に表示と入力が可能な表示入力装置を適用した遠隔試験装置において、それら表示入力装置またはそれらの制御装置に対し、機器の操作指令を要求するためのデジタル信号値を試験用ＬＡＮを介して伝送できるインターフェイス機能を有することを特徴とする。
【００１７】
本発明のもう一つの態様では、プラントの監視および制御をデジタル信号により行なうデジタル制御装置および計算機を用いる遠隔試験方法において、プラントのプロセス値を計測する検出器よりデジタル制御装置および計算機へ入力される回路またはデジタル制御装置および計算機より現場機器に対して出力される回路の健全性ならびに精度を確認するループ試験に際し、デジタル制御装置および計算機内部ロジックの任意のデジタル信号値を読み出し、試験用ＬＡＮに伝送するためのインターフェイス機能を用いることを特徴とする。
【００１８】
本発明のもう一つの態様では、プラントの監視および制御をデジタル信号により行なうデジタル制御装置および計算機を用いる遠隔試験方法において、プラントのプロセス値を計測する検出器よりデジタル制御装置および計算機へ入力される回路またはデジタル制御装置および計算機より現場機器に対して出力される回路の健全性ならびに精度を確認するループ試験に際し、デジタル制御装置および計算機に備えられた保守用インターフェイスを使用することで、プラント制御応答速度を要求されるロジックに対し、影響を与えることなくデジタル制御装置および計算機内部ロジックの任意のデジタル信号値を読み出し、試験用ＬＡＮに伝送することを特徴とする。
【００１９】
【発明の実施の形態】
本発明の第１の実施の形態を、図１を参照して説明する。図１は計装ループ試験の一実施の形態の構成図である。プラント遠隔試験装置５は中央制御室と現場にまたがって配置されており、試験用ＬＡＮ（ローカル・エリア・ネットワーク）４が設置されている。プラント遠隔試験装置５の中央制御室側に、無線アンテナ（固定局）２およびインターフェイス（Ｉ／Ｆ）装置３が配置され、これらは試験用ＬＡＮ４に接続されている。
【００２０】
デジタル制御装置８ａおよび計算機８ｂと、試験用ＬＡＮ４とを保守用インターフェイスによりインターフェイス装置３を介して接続し、内部ロジックのデジタル信号を試験用ＬＡＮ４に伝送する。試験用ＬＡＮ４上のデジタル信号は、無線アンテナ（固定局）２または有線により端末装置１に伝送される。端末装置１は指示計１０または検出器９に配置される試験員が携帯し、デジタル値表示を確認する。
【００２１】
これにより、従来の試験員配置６では検出器９、デジタル制御装置８ａ、計算機８ｂ、指示計１０にそれぞれ配置していた試験員６、７（計４名）が、検出器９および指示計１０のみ（計２名）で試験可能となる。
【００２２】
この第１の実施の形態の試験方法では、デジタル信号値を、無線または有線の端末装置１の入力装置より、試験対象のアドレスを要求することで、遠隔試験装置５によって、要求されたアドレスに相当するデジタル制御装置８ａおよび計算機８ｂ内部ロジックのデジタル信号値を試験用ＬＡＮ４を介して、プラントの任意の場所に設置した無線または有線の端末装置１に伝送し表示することができる。
【００２３】
この際、検出器９または指示計１０に配置された試験員７が端末装置１を携帯することにより、従来デジタル制御装置８ａおよび計算機８ｂの設置場所に配置されていた試験員６が不要となる。計測器の操作等、試験員の両手が塞がった状態においても、音声入力装置（図示せず）により試験を進めることもできる。
【００２４】
無線による伝送を用いる場合は、現場等、試験用ＬＡＮ４のケーブル布設の困難な状況においても、容易に試験用ＬＡＮ４が構築可能である。ただし、原子力プラント等ノイズによる影響が懸念される場合または無線電波の届かない場所においては、有線により試験を行なうこととしてもよい。
【００２５】
また、デジタル制御装置８ａおよび計算機８ｂ側において、取り合いの追加、変更または削除が発生した場合、端末装置１に内蔵された、任意のデジタル制御装置８ａおよび計算機８ｂへアクセスする際に必要な内部ロジックのアドレス選択用の取り合いデータベースを、または、端末装置１に内蔵された、複数のデジタル制御装置８ａおよび計算機８ｂのアドレスまたは同一デジタル制御装置８ａおよび計算機８ｂの複数のアドレスを同時に要求するための取り合いデータベースを自動で更新することができる。
【００２６】
なお、図１において、現場側の検出器９の前にいる試験員７は、試験の際に検出器９へ圧力などの模擬を行なう。携帯端末１の情報は中央制御室側の指示計１０の前の試験員７が確認し、仮設電話などの通信手段（図示せず）により、現場側の試験員７へ伝達する。この例では、現場側の試験員７は模擬作業を行なっているため、手があいている中央制御室側の試験員７が携帯端末１を確認する構成としている。
【００２７】
また、図１では、デジタル制御装置８ａ、指示計１０などが中央制御室に設置されているので、プラント制御監視用ＬＡＮ４の中央制御室側が使用されているが、デジタル制御装置８ａ、指示計１０などが現場側に設置される場合（図示せず）は、現場のＬＡＮが使用されることになる。
【００２８】
第１の実施の形態の変形例として、上記「試験用ＬＡＮ４」を「プラント制御監視用ＬＡＮ」に置き換えることができる（図示せず）。この場合の試験方法では、プラント制御監視用ＬＡＮを使用することにより、試験用ケーブルの布設範囲を最小限にすることができる。
【００２９】
次に、本発明の第２の実施の形態を図２を参照して説明する。ただし、図１と共通または類似の部分には共通の符号を付して重複説明は省略する。図２はプラント監視および制御のマンマシンインターフェイス部にＣＲＴ、タッチパネルを適用したプラントにおける計装ループ試験の一実施の形態の構成図である。デジタル制御装置８ａおよび計算機８ｂと、試験用ＬＡＮ４とを保守用インターフェイスによりインターフェイス（Ｉ／Ｆ）装置３を介してを接続し、内部ロジックのデジタル信号を試験用ＬＡＮ４に伝送する。
【００３０】
また、同様にタッチパネル１１上に表示されるプロセス値等のデジタル信号値も、インターフェイス装置３を介して試験用ＬＡＮ４へ伝送される。試験用ＬＡＮ４上のデジタル信号は、無線アンテナ（固定局）２または有線により端末装置１に伝送される。端末装置１は検出器９に配置される試験員７が携帯し、デジタル値表示を確認する。
【００３１】
これにより、従来の試験員配置では検出器９、デジタル制御装置８ａ、計算機８ｂ、指示計１０にそれぞれ配置していた試験員６、７（計４名）が、検出器９のみ（計１名）で試験可能となる。
【００３２】
この第２の実施の形態の試験方法では、無線または有線の端末装置１の入力装置から試験対象のアドレスを要求することで、プラント遠隔試験装置５によって要求されたアドレスに相当するデジタル制御装置８ａおよび計算機８ｂ内部ロジックのデジタル信号値を試験用ＬＡＮ４を介して、プラントの任意の場所に設置した無線または有線の端末装置１に伝送し表示することができる。
【００３３】
また、無線または有線の端末装置１の入力装置から試験対象のアドレスを要求することで、マンマシンインターフェイス機能によって、要求されたアドレスに相当するＣＲＴ、タッチパネル（またはその制御装置）のデジタル信号値を試験用ＬＡＮ４を介して、プラントの任意の場所に設置した端末装置１に伝送し表示することができる。
【００３４】
この際、デジタル信号値を試験用ＬＡＮ４から送受信できる無線または有線の端末装置１を検出器９に配置された試験員７が携帯することにより、従来デジタル制御装置８ａおよび計算機８ｂの設置場所に配置されていた試験員６、ならびにＣＲＴ、タッチパネル設置場所に配置されていた試験員６が不要となる。計測器の操作等、試験員の両手が塞がった状態においても、音声入力装置により試験を進めることができる。
【００３５】
現場等試験用ＬＡＮ４のケーブル布設の困難な状況においても、無線化すれば容易に試験用ＬＡＮ４が構築可能である。ただし、原子力プラント等ノイズによる影響が懸念される場合または無線電波の届かない場所においては、有線により試験を行なうことができる。
【００３６】
また、デジタル制御装置８ａおよび計算機８ｂ側において、取り合いの追加、変更または削除が発生した場合、自動で更新することもできる。
第２の実施の形態の変形例として、「試験用ＬＡＮ」を「プラント制御監視用ＬＡＮ」に置き換えることもできる。
【００３７】
【発明の効果】
以上説明したように、本発明によれば、デジタル制御装置および計算機を含むプラント制御装置の計装ループ試験を行なう場合、デジタル制御装置および計算機内部ロジックの確認を検出器等に配置された試験員が兼ねることが可能となり、試験員を削減できる効果がある。同様にポンプ、弁、計装スイッチ等の現場機器との取り合い試験を行なう場合も、デジタル制御装置および計算機内部ロジックの確認を他の試験員が兼ねることが可能となり、試験員を削減できる効果がある。
【００３８】
また、プラントの監視および制御を行なうマンマシンインターフェイス部に表示と入力が可能な表示入力装置を適用したプラントにおいても、それら機器の確認を検出器に配置された試験員が兼ねることが可能となり、さらに試験員を削減できる効果がある。
【図面の簡単な説明】
【図１】本発明の第１の実施形態の構成図。
【図２】本発明の第２の実施形態の構成図。
【符号の説明】
１…携帯端末、２…無線アンテナ（固定局）、３…インターフェイス装置、４…試験用ＬＡＮ、５…プラント遠隔試験装置、６…従来の配置の試験員、７…本発明の配置の試験員、８ａ…デジタル制御装置、８ｂ…計算機、９…検出器、１０…指示計、１１…タッチパネル。
【図１】
2004133603.tif 000003
【図２】
2004133603.tif 000004